(57)【要約】【課題】簡単なシステムで複数の所望温度への対応が可能で、ヒートポンプサイクルを用いたときは、沸き上げ時の加熱効率の低下を防止できる貯湯式給湯システムを提供する。【解決手段】貯湯タンク１の上部に接続され高温水を出湯する給湯配管４と、貯湯タンク１の中ほどに接続され中温水を出湯する第３の給湯配管２０と、第３の給湯配管２０から出湯される中温水と市水を混合する第１の混合弁１９と、第１の混合弁１９からの出湯と給湯配管４から出湯される高温水とを混合する給湯側混合弁１６、ふろ側混合弁２２と、中温水の温度を検出する温度センサ２１と、給湯側混合弁１６、および、ふろ側混合弁２２からの出湯温度を所望温度に設定する操作部３１と、中温水の温度と所望温度に基づいて第１の混合弁１９、給湯側混合弁１６、ふろ側混合弁２２を制御する制御部３０とを備える。【選択図】図１
2006064306.tif 000002
【特許請求の範囲】
【請求項１】
加熱手段により内部の水を加熱して、内部に湯として貯える貯湯タンクと、
この貯湯タンクの上部に接続され高温水を出湯する高温水の給湯配管と、
前記貯湯タンクの中ほどに接続され中温水を出湯する中温水の給湯配管と、
この中温水の給湯配管から出湯される前記中温水と市水を混合する第１の混合弁と、
この第１の混合弁からの出湯と前記高温水の給湯配管から出湯される前記高温水とを混合する第２の混合弁と、
前記中温水の温度を検出する温度センサと、
前記第２の混合弁からの出湯温度を所望温度に設定する設定手段と、
前記温度センサにより検出された前記中温水の温度と前記設定手段により設定された所望温度に基づいて前記第１、第２の混合弁を制御する制御部と、
を備えたことを特徴とする貯湯式給湯システム。
【請求項２】
前記制御部は、前記温度センサにより検出された中温水の温度と前記設定手段により設定された前記所望温度とを比較し、前記中温水の温度が前記所望温度以上のときは、前記第２の混合弁の中温水側の出湯を全開とし、前記第１の混合弁のみで給湯温度制御を行い、前記中温水の温度が前記所望温度未満のときは、前記第１の混合弁の中温水側の出湯を全開とし、前記第２の混合弁で給湯温度制御を行うことを特徴とする請求項１記載の貯湯式給湯システム。
【請求項３】
前記第２の混合弁を複数備えたことを特徴とする請求項１または２記載の貯湯式給湯システム。
【請求項４】
前記制御部は、前記温度センサにより検出された前記中温水の温度と前記設定手段により設定された複数の所望温度とを比較するときは、前記複数の所望温度のうち最も低い温度を前記中温水の温度との比較対象とし、
前記中温水の温度が前記最も低い所望温度以上のときは、最も低い出湯を行う前記第２の混合弁の中温水側の出湯を全開とし、前記第１の混合弁のみで前記最も低い所望温度への給湯温度制御を行い、前記最も低い所望温度以外の所望温度は、前記最も低い所望温度を出湯する第１の混合弁からの出湯と前記第２の混合弁による貯湯タンクからの出湯の混合により生成し、
前記中温水の温度が前記所望温度未満のときは、前記第１の混合弁は中温水側の出湯を全開とし、前記第２の混合弁のみで複数の所望給湯温度の出湯をさせる給湯温度制御を行うことを特徴とする請求項３記載の貯湯式給湯システム。
【請求項５】
前記中温水の温度と所望温度の比較をするときに、前記中温水の温度にある一定の幅を持たせることを特徴とする請求項１乃至４のいずれかに記載の貯湯式給湯システム。
【発明の詳細な説明】
【技術分野】
【０００１】
本発明は、貯湯タンクを有する貯湯式給湯システムに係り、特に、ヒートポンプにより加熱した貯湯式給湯システムに関するものである。
【背景技術】
【０００２】
従来の貯湯式給湯システムは、貯湯タンク内の高温水または中温水を貯湯タンクの上部または中ほどから取り出し、市水と混合して給湯に利用する構成である（例えば、特許文献１参照）。または、貯湯槽の中温水路と給水路、中温水路と高温水路を接続し、それぞれの接続部に混合弁を設け、それぞれ混合比を調整して所望温度が給湯可能な構成である（例えば、特許文献２参照）。
【０００３】
【特許文献１】特開２００３−１１４０５３号公報（段落００５９〜００６６、図１）
【特許文献２】特開２００２−３０３４５０号公報（段落００１４〜００１５、図１）
【発明の開示】
【発明が解決しようとする課題】
【０００４】
しかしながら、上記のような従来の構成では、特許文献１に開示される構成の場合、複数の中温水取り出し口のうち、出湯位置での温度が給湯所の望温度以上の場合に中温水を貯湯タンクから出湯させる構成であるので、取り出そうとする中温水の温度が所望温度以下の場合には、利用できなくなる。また、もともと複数の所望温度への対応について考慮されておらず、所望温度の温水を得ようとする経路を複数設けようとする場合、取り出した中温水を市水と混合してから所望温度を生成する必要が生じるため、複数の所望温度があった場合には複数の出湯口からの出湯を行う必要が生じる。
【０００５】
また、特許文献２に開示される構成の場合、高温水と中温水を混合したあとで、市水と混合する構成であり、複数の所望温度への対応については考慮されておらず、例えば、所望出湯温度のうち一方が中温水の温度よりも高く、他方が中温水同等の温度の場合は、開示された配管構成では、高温水と中温水をあらかじめ混合し、中温水以上の温度（所望温度のうち高いほうの湯温）のお湯にしてから出湯し、他方では市水と混ぜて温度を下げる必要が生じ、中温水をより積極的に利用したいシステムにもかかわらず、一度高温水と混ぜてから、また市水と混ぜるという無駄な操作を行わなければならないという問題があった。
【０００６】
また、加熱手段としてヒートポンプサイクルを用いた室外機を利用して、貯湯タンクの下部より水を取り出し、室外機にて湯を作り、貯湯タンクの上部に沸き上げた湯を順次貯めていくように沸き上げを行なうヒートポンプ式の給湯システムにおいては、貯湯タンクから室外機ヘ供給される水の温度が高いと、沸き上げ時の加熱効率（成績係数）が低下してしまうという問題がある。なお、ここでいう加熱効率とは、沸き上げ能力を消費電力で割ったものをさす。
【０００７】
本発明は、上記のような課題を解決するためになされたもので、簡単なシステムで複数の所望温度への対応が可能でありながら中温水を有効利用する構成とし、ヒートポンプサイクルを用いた加熱方式においては、沸き上げ時の加熱効率の低下を防止できる貯湯式給湯システムを提供することを目的とする。
【課題を解決するための手段】
【０００８】
本発明に係る貯湯式給湯システムは、加熱手段により内部の水を加熱して、内部に湯として貯える貯湯タンクと、この貯湯タンクの上部に接続され高温水を出湯する高温水の給湯配管と、前記貯湯タンクの中ほどに接続され中温水を出湯する中温水の給湯配管と、この中温水の給湯配管から出湯される前記中温水と市水を混合する第１の混合弁と、この第１の混合弁からの出湯と前記高温水の給湯配管から出湯される前記高温水とを混合する第２の混合弁と、前記中温水の温度を検出する温度センサと、前記第２の混合弁からの出湯温度を所望温度に設定する設定手段と、前記温度センサにより検出された前記中温水の温度と前記設定手段により設定された所望温度に基づいて前記第１、第２の混合弁を制御する制御部と、を備えたものである。
【発明の効果】
【０００９】
本発明によれば、貯湯タンクの上部から出湯する高温水の給湯配管と、前記貯湯タンクの中ほどに接続され中温水を出湯する中温水の給湯配管と、この中温水の給湯配管から出湯される前記中温水と市水を混合する第１の混合弁と、この第１の混合弁からの出湯と前記高温水の給湯配管から出湯される前記高温水とを混合する第２の混合弁と、前記中温水の温度を検出する温度センサと、前記第２の混合弁からの出湯温度を所望温度に設定する設定手段と、前記温度センサにより検出された前記中温水の温度と前記設定手段により設定された所望温度に基づいて前記第１、第２の混合弁を制御する制御部と、を備えたので、簡単なシステムで複数の所望温度への対応が可能でありながら中温水を有効利用できるので、ヒートポンプサイクルを用いた加熱方式においては、沸き上げ時の加熱効率の低下を防止することができる。
【発明を実施するための最良の形態】
【００１０】
図１は本発明の実施の形態を示す貯湯式給湯システムの構成図である。
図１において、貯湯タンク１の下部には給水配管２が接続されていて、この給水配管２には給水バイパス管３が設けられ、また、貯湯タンク１の上部には給湯配管４が接続されていて、この給湯配管４は、第１の給湯配管４ａと第２の給湯配管４ｂとに別れている。
貯湯タンク１の上下部には放熱用循環回路７が接続されており、この放熱用循環回路７は、貯湯タンク１内に貯湯された湯と外部熱負荷である床暖房器８内のブラインとを熱交換する暖房用熱交換器９と、貯湯タンク１内の湯を放熱用循環回路７に循環させる循環ポンプ１０とによって構成されている。
【００１１】
床暖房器８には暖房用熱交換器９の二次側である暖房循環回路１２が接続され、暖房循環回路１２には暖房用熱交換器９から床暖房器８へブラインを循環させる循環ポンプ１３が設けられている。
【００１２】
加熱手段であるヒートポンプ本体１４には加熱循環回路１５が接続され、この加熱循環回路１５は貯湯タンク１の上下部と接続されており、加熱循環回路１５にはヒートポンプ本体１４内に循環ポンプ（図示せず）が設けられ、貯湯タンク１の下部から水を導き、ヒートポンプにより外気との熱交換を行い、水を高温の湯に沸き上げ、貯湯タンク１の上部に戻している。加熱循環回路１５の貯湯タンク１下部側には温度センサ１５ａが設けられている。
【００１３】
第１の混合弁１９は、貯湯タンク１の中ほどに接続された第３の給湯配管２０と給水バイパス管３の間に接続され、貯湯タンク１の中ほどに接続された第３の給湯配管２０から供給される中温水、および給水バイパス管３から供給される市水とを混合し、給湯側混合弁１６、ふろ側混合弁２２に、第４の給湯配管２８から分岐する第５の給湯配管２８ａと第６の給湯配管２８ｂによりそれぞれ供給する。温度センサ１１は、第１の混合弁１９と、給湯側混合弁１６およびふろ側混合弁２２をつなぐ第４の給湯配管２８に設置されて、第１の混合弁１９の出湯湯温を検出する。
なお、給湯側混合弁１６及びふろ側混合弁２２は第２の混合弁である。また、温度センサ２１は貯湯タンク１の側面中ほどに設置されて、前記第３の給湯配管２０の温水取出口付近の湯温を検出するものである。
【００１４】
給湯側混合弁１６は、第５の給湯配管２８ｂと第２の給湯配管４ｂの間に接続され、前記第１の混合弁１９から供給される中温水と第２の給湯配管４ｂから供給される高温水を混合して、温度センサ３２で出湯温度、流量センサ３３で流量の有無を検出しながら、一般給湯配管１７を経由し、蛇口１８等の出湯口から出湯する。
また、ふろ側混合弁２２は、前記第５の給湯配管２８ａから供給される中温水と第１の給湯配管４ａから供給される高温水を混合してふろ配管２５に供給する。開閉弁２４は浴槽２６へ所望の温度に混合された温水を供給、遮断する弁である。また、温度センサ２３は、ふろ側混合弁２２の出湯温度を検出し、流量センサ２７は、ふろ配管２５を通して浴槽２６へ供給した湯量を計測する。
【００１５】
なお、給湯側混合弁１６、第１の混合弁１９、ふろ側混合弁２２等はサーボモータ等により弁体の開度が調節される電動弁である。
【００１６】
設定手段である操作部３１では使用者が出湯の所望温度や所望量を設定する。制御部３０は、操作部３１で設定された所望温度や所望量及び温度センサ１１、１５ａ、２１、２３、３２、流量センサ２７、３３の検出値に基づいて循環ポンプ１０、１３、ヒートポンプ本体１４、給湯側混合弁１６、混合弁１９、ふろ側混合弁２２、開閉弁２４等のシステム全体の動作を制御する。なお、使用者が浴槽２６に給湯する場合、操作部３１により設定する所望温度はおおむね３５〜４５℃程度である。
【００１７】
次に、本実施の形態における貯湯式給湯システムの動作について図１により説明する。
まず、給水配管２から給水された市水は減圧弁（図示せず）で所定圧に減圧され、貯湯タンク１に給水される。ここで、貯湯タンク１は常に満水状態となっている。貯湯タンク１内の水はヒートポンプ本体１４に内蔵の循環ポンプ（図示せず）の運転により、貯湯タンク１の下部から加熱循環回路１５に取り出されてヒートポンプ本体１４で熱交換し、設定された温度（例えば９０℃）になるように加熱昇温され、貯湯タンク１の上部に戻される。（図１中、矢印ａ）これにより、貯湯タンク１の上部より９０℃の湯が少量づつ貯湯されていく。
【００１８】
ヒートポンプ方式による沸き上げは、温度センサ１５ａの温度が一定温度（例えば６０℃）以上になったら、貯湯タンク１が全量沸き上がったと判断して終了する。
このとき、ヒートポンプ方式による沸き上げ加熱性能は、ヒートポンプ本体１４に入る水の温度が低いときは、沸き上げの加熱効率が高いが、入る水の温度が高いときは沸き上げの加熱効率は低下する特性を持っている。
【００１９】
貯湯タンク１に蓄えられた９０℃の湯は、さまざまな要因で、温度低下を起こし、中温水となって貯湯タンク１内に徐々に発生してゆく。例えば、貯湯してから時間が経過すると、自然放熱により貯湯タンク１内の湯が放熱していき、温度低下を生じたり、床暖房を行うことで貯湯タンク内の湯を熱源とした熱交換を生じ中温水が生成されていく。一例として、床暖房を行う場合の動作および中温水の生成について説明する。
【００２０】
この場合は、操作部３１により制御部３０が床暖房開始の指示を受けると、床暖房動作が開始される。床暖房動作が開始されると、まず循環ポンプ１３が動作して床暖房器８内のブラインが暖房循環回路１２を循環し、暖房用熱交換器９を通って床暖房器８内に戻される（図中矢印ｃ）。一方、循環ポンプ１０も動作して、貯湯タンク１の上部より高温の貯湯水が放熱用循環回路７に導かれ、暖房用熱交換器９を通って貯湯タンク１の下部に戻される（図中矢印ｂ）。このとき、暖房用熱交換器９は、貯湯タンク１内に貯湯された高温の貯湯水から低温のブラインに熱交換（伝熱）することで、ブラインを床暖房に適した温度に加熱昇温させる。
【００２１】
また、一方で高温の貯湯水は熱を奪われ、中温水（概ね５０℃程度）となって貯湯タンク１に戻る。このような床暖房を継続すると、貯湯タンク１内の高温の貯湯水が減少し、中温水が増加してゆき、タンクの上部以外は中温水で充満したような状態となる。この状態で、例えばヒートポンプ本体１４により貯湯タンク１内の沸き上げを行おうとすると、床暖房で生成された中温水をヒートポンプサイクルで熱交換を行うことになり、前述のように沸き上げ時の加熱効率が低下することになる。
【００２２】
次に、床暖房等によって生成された中温水を処理することによるヒートポンプサイクルを用いた加熱方法での加熱効率の向上を実現する動作について、図１および図２〜４を用いて説明する。
【００２３】
まず、蛇口１８からの一般給湯を行う場合について図２により説明する。図２は、中温水を利用して給湯を行う動作に関するフローチャートである。
まず、使用者が蛇口１８を開くことによって給湯が開始され（ステップ５０Ｓ）ステップ５１Ｓに進む。
ステップ５１Ｓでは、第３の給湯配管２０から出湯する中温水（図１中矢印ｄ）の温度を温度センサ２１で検出しステップ５２Ｓに進む。
ステップ５２Ｓでは、操作部３１で使用者が設定した給湯の所望温度と、第３の給湯配管２０から出湯する中温水（図１中矢印ｄ）の温度を比較し、「中温水温度」≧「給湯所望温度」の場合は、「はい」の方向に進みステップ５３Ｓに至り、「中温水温度」＜「給湯所望温度」の場合は、「いいえ」の方向に進みステップ５４Ｓに至る。
【００２４】
ステップ５３Ｓでは、「中温水温度」≧「給湯所望温度」であるので、図１の第１の混合弁１９により、温度センサ１１の検出温度が給湯所望温度になるように中温水（図１中矢印ｄ）と市水（図１中矢印ｆ）を混合するよう制御部３０で制御し、給湯側混合弁１６は前記第１の混合弁１９からの出湯側（図１中矢印ｊ）が全開になるように、制御部３０で制御し、ステップ５５Ｓに至る。
ステップ５４Ｓでは、「中温水温度」＜「給湯所望温度」であるので、図１の第１の混合弁１９を中温水側の出湯を全開（図１中矢印ｄ側出湯全開）となるように制御部３０で制御しながら、給湯側混合弁１６により、貯湯タンク１からの高温水（図１中矢印ｅ）と混合し、温度センサ３２の検出温度が所望温度の出湯となるように制御部３０で制御し、ステップ５５Ｓに至る。
【００２５】
ステップ５５Ｓでは、給湯が終了したかを一般給湯配管１７に設けられた流量センサ（図示せず）により流量の有無を検出して制御部３０が判断し、給湯が終了していれば、「はい」方向に進みステップ５６Ｓに至り、給湯での中温水処理動作を終了する。
給湯が終了していなければ、「いいえ」方向に進みステップ５１Ｓに戻り、給湯が終了するまでループ状態となる。
【００２６】
以上のように、いずれの場合でも中温水を出湯に利用することで中温水をより積極的に利用しながら、一般給湯配管１７を経由して給湯が行われる（図１中矢印ｈ）。
従って、貯湯タンク１が中温水で充満することはなく、ヒートポンプ本体１４により沸き上げを行うときは、貯湯タンク１内の最下部にある水をヒートポンプサイクルで熱交換を行うことができ、沸き上げ時の加熱効率も低下を防止することができる。
【００２７】
次に、浴槽２６へ給湯を行う湯はり動作の場合について図３により説明する。図３は、中温水を利用して湯はりを行う動作に関するフローチャートである。
まず、使用者が湯はり開始のため操作部３１を操作すると制御部３０が湯はり開始の指示を受け（ステップ６０Ｓ）、ステップ６１Ｓに進む。
ステップ６１Ｓでは、制御部３０は開閉弁２４を開き、湯はり動作が開始され、ステップ６２Ｓに進む。ステップ６２Ｓでは、第３の給湯配管２０から出湯する中温水（図１中矢印ｄ）の温度を温度センサ２１で検出しステップ６３Ｓに進む。
【００２８】
ステップ６３Ｓでは、湯はり動作が開始されると、操作部３１で使用者が設定した湯はりの所望温度に対し、第３の給湯配管２０から出湯する中温水（図１中矢印ｄ）の温度を比較し、「中温水温度」≧「湯はり所望温度」の場合は、「はい」の方向に進みステップ６４Ｓに至り、「中温水温度」＜「湯はり所望温度」の場合は、「いいえ」の方向に進みステップ６５Ｓに至る。
ステップ６４Ｓでは、「中温水温度」≧「湯はり所望温度」であるので、図１の第１の混合弁１９により、温度センサ１１の検出温度が所望温度になるように中温水（図１中矢印ｄ）と市水（図１中矢印ｆ）を混合するよう制御部３０で制御し、ふろ側混合弁２２は前記第１の混合弁１９からの出湯側（図１中矢印ｊ）が全開になるように、制御部３０で制御し、ステップ６６Ｓに至る。
【００２９】
ステップ６５Ｓでは、「中温水温度」＜「湯はり所望温度」であるので、図１の第１の混合弁１９を中温水側の出湯を全開（図１中矢印ｄ側出湯全開）となるように制御部３０で制御しながら、ふろ側混合弁２２により、貯湯タンク１からの高温水（図１中矢印ｅ）と混合し、温度センサ２３の検出温度が所望温度の出湯となるように制御部３０で制御し、ステップ６６Ｓに至る。
ステップ６６Ｓでは、制御部３０が、流量センサ２７の積算流量をカウントし、所望量となったかどうかを判断し、所望量となれば、「はい」方向に進みステップ６７Ｓに至り開閉弁２４を閉じて、ステップ６８Ｓに進み、湯はりを終了する。
また、所望量に満たない場合は、「いいえ」方向に進みステップ６２Ｓに戻り、所望量となるまでループ状態となる。
【００３０】
以上の動作により、いずれの場合でも中温水を出湯に利用することで中温水をより積極的に利用しながら、ふろへの給湯が行われる（図１中矢印ｇ）。
従って、貯湯タンク１が中温水で充満することはなく、貯湯タンク１内の最下部にある水をヒートポンプサイクルで熱交換を行うことができ、沸き上げ時の加熱効率の低下を防止することができる。
【００３１】
次に、一般給湯とふろ給湯を同時に行う場合の動作について図４により説明する。図４は、中温水を利用して同時給湯を行う動作に関するフローチャートである。
まず、使用者が蛇口１８を開いて行う一般給湯と、使用者が行う操作部３１の操作により制御部３０が湯はり開始の指示を受け、同時給湯が開始（ステップ７０Ｓ）され、ステップ７１Ｓに進む。ステップ７１Ｓでは、制御部３０は開閉弁２４を開き、湯はり動作が開始され、ステップ７２Ｓに至る。
ステップ７２Ｓでは、第３の給湯配管２０から出湯する中温水（図１中矢印ｄ）の温度を温度センサ２１で検出しステップ７３Ｓに進む。
【００３２】
ステップ７３Ｓでは、操作部３１で使用者が設定した給湯および湯はりの所望温度と、第３の給湯配管２０から出湯する中温水（図１中矢印ｄ）の温度を比較し、「中温水温度」≧「一般給湯所望温度または湯はり所望温度のうちいずれか低いほう」の場合は、「はい」の方向に進みステップ７４Ｓに至り、「中温水温度」＜「一般給湯所望温度または湯はり所望温度のうちいずれか低いほう」の場合は、「いいえ」の方向に進みステップ７５Ｓに至る。
【００３３】
ステップ７４Ｓでは、中温水温度」≧「一般給湯所望温度または湯はり所望温度のうちいずれか低いほう」であるので、図１の第１の混合弁１９により、温度センサ１１の検出温度が低い側の所望温度になるように中温水（図１中矢印ｄ）と市水（図１中矢印ｆ）を混合するよう制御部３０で制御し、いずれか低い所望温度を出湯する側の混合弁（例えば、ふろ側が所望温度が低ければ、ふろ側混合弁２２）は前記第１の混合弁１９からの出湯側（ふろ側であれば、図１中矢印ｊ）が全開になるように、制御部３０で制御し、所望温度の高い側の混合弁（例えば給湯側混合弁１６）は、中温水（図１中矢印ｊ）と、貯湯タンク１から出湯する高温水（図１中矢印ｅ）を混合し、例えば、温度センサ３２の検出温度が高い側の所望温度となるように制御部３０で制御し、ステップ７６Ｓに至る。
【００３４】
ステップ７５Ｓでは、「中温水温度」＜「一般給湯所望温度または湯はり所望温度のうちいずれか低いほう」であるので、第１の混合弁１９を中温水側の出湯を全開（図１中矢印ｄ側出湯全開）となるように制御部３０で制御しながら、給湯側混合弁１６および、ふろ側混合弁２２により、貯湯タンク１からの高温水と混合し、温度センサ３２、および、温度センサ２３の各々の検出温度が所望温度の出湯となるように制御部３０で制御し、ステップ７６Ｓに至る。
ステップ７６Ｓでは、給湯が終了したかを一般給湯配管１７に設けられた流量センサ３３により流量の有無を検出して制御部３０が判断し、給湯が終了していれば、「はい」方向に進み、ステップ７７Ｓに至り、前述の湯はりでの中温水処理のフローチャートによる動作制御へ移行し、給湯が終了していない場合は、「いいえ」方向に進み、ステップ７８Ｓに至る。
【００３５】
ステップ７８Ｓでは、制御部３０が、流量センサ２７の積算流量をカウントし、所望量となったかどうかを判断し、所望量となれば、「はい」方向に進みステップ７９Ｓに至り開閉弁２４を閉じて、ステップ８０Ｓに進み、湯はりを終了し、前述の給湯での中温水処理のフローチャートによる動作制御に移行する。また、所望量に満たない場合は、「いいえ」方向に進みステップ７２Ｓに戻り、ループ状態となる。
【００３６】
すなわち、同時給湯の場合においてのいずれの場合でも中温水を出湯に利用することで中温水を積極的に利用することが可能であり、従来例のような、一旦高温水と混ぜたあとで市水と混合するような無駄な操作を行うことなく中温水の利用が可能となり、貯湯タンク１が中温水で充満することはなく、貯湯タンク１内の最下部にある水をヒートポンプサイクルで熱交換を行うことができ、沸き上げ時の加熱効率の低下を防止することができる。
【００３７】
また、前述の実施の形態の説明で、「中温水温度」と「所望温度」をそのまま大小比較を行っているが、例えば比較の際、「中温水温度＋２℃」を「中温水温度」ととらえるなど、比較の際に一定の幅を持たせても良い。これにより判定する温度センサの精度の多少のばらつきがあるとき、例えば中温水温度を実際よりも高めに検出した場合であっても、所望温度を安定して出湯させることが可能となる。
【００３８】
また、前述の手段は、従来例であれば２つの経路への出湯に際し、従来例の経路を２経路並列に備える必要が生じるため混合弁が４つ必要となるのに比べ、混合弁の数を３つと少なくすることができ、システムの簡素化およびコスト低減が可能となる。
【００３９】
このように、あらゆる給湯の使用状態において中温水を積極的に利用できるので、ヒートポンプ本体１４による沸き上げを行えば、貯湯タンク１の下部に注入された市水からの沸き上げとなるので、沸き上げ時の加熱効率の低下を最小限に抑えることが可能となる。
【図面の簡単な説明】
【００４０】
【図１】本発明の実施の形態を示す貯湯式給湯システムの構成図である。
【図２】本発明の実施の形態を示す貯湯式給湯システムの中温水処理の動作フローチャートである。
【図３】本発明の実施の形態を示す貯湯式給湯システムの中温水処理の動作フローチャートである。
【図４】本発明の実施の形態を示す貯湯式給湯システムの中温水処理の動作フローチャートである。
【符号の説明】
【００４１】
１  貯湯タンク、２  給水配管、３  給水バイパス管、４  給湯配管、４ａ  第１の給湯配管、４ｂ  第２の給湯配管、１１  温度センサ、１４  ヒートポンプ本体、１６  給湯側混合弁、１９  第１の混合弁、２０  第３の給湯配管、２１  温度センサ、２２  ふろ側混合弁、２３  温度センサ、２４  開閉弁、２５  ふろ配管、２６  浴槽、２８  第４の給湯配管、２８ａ  第５の給湯配管、２８ｂ  第６の給湯配管、３０  制御部、３１  操作部、３２  温度センサ。
【図１】
2006064306.tif 000003
【図２】
2006064306.tif 000004
【図３】
2006064306.tif 000005
【図４】
2006064306.tif 000006